(57)【要約】      （修正有）【課題】加熱したオイルを人体の額に流下させて行うシロダーラにおいて、オイルの流下位置の移動が人手で行うのに近い状態で行える加熱液体流下装置を提供する。【解決手段】人体の頭部Ｈおよび液体を受ける施術台２１を備え、該施術台２１に設けられた排液口２２からの排液を導入する貯液部３１と、該貯液部３１内の液体を加熱する加熱部４１と、前記貯液部３１内の加熱液体Ｌを前記施術台２１の上方に供給して流下する加熱液体供給路５１を有する。加熱液体供給路５１の先端側部分を、人体の額近傍部位に対応する部位の上方にアーム１３で支持する。そして、このアーム１３の先端部に、アーム１３の先端部から人体の頭頂部側に対応する方向に向けて延びてアーム１３の先端部を軸にアーム１３の下で扇動する扇動部１４を設け、この扇動部１４の先端側部位に、前記加熱液体供給路５１の先端を保持する。【選択図】図１
0003158311.tif 000002
【実用新案登録請求の範囲】
【請求項１】
人体の頭部および液体を受ける施術台を備え、該施術台に設けられた排液口からの排液を導入する貯液部と、該貯液部内の液体を加熱する加熱部と、前記貯液部内の加熱液体を前記施術台の上方に供給して流下する加熱液体供給路を有する加熱液体流下装置であって、
前記加熱液体供給路の先端側部分が、人体の頭頂部側に対応する部位に立設されたアームで人体の額近傍部位に対応する部位の上方に支持されるとともに、
該アームの先端部に、アームの先端部から人体の頭頂部側に対応する方向に向けて延びてアームの先端部を軸にアームの下で扇動する扇動部が設けられ、
該扇動部の先端側部位に、前記加熱液体供給路の先端が保持された
加熱液体流下装置。
【請求項２】
前記扇動部が、扇動部の長手方向に移動可能である
請求項１に記載の加熱液体流下装置。
【請求項３】
前記扇動部を扇動する駆動機構が、揺動する作用杆を備えた駆動部と、
先端がアームの先端部において扇動部の軸部分に結合され前記駆動部によって牽引されるワイヤで構成された
請求項１または請求項２に記載の加熱液体流下装置。
【請求項４】
前記扇動部の扇動速度が変更可能である
請求項１から請求項３のうちのいずれか一項に記載の加熱液体流下装置。
【請求項５】
前記貯液部が、前記加熱部着脱自在な容器で構成されるとともに、
前記加熱液体供給路の前記貯液部側の部分が先端にポンプを有する屈曲可能な管体で構成され、先端部が前記貯液部に収納される
請求項１から請求項４のうちのいずれか一項に記載の加熱液体流下装置。
【請求項６】
前記施術台の下に、前記貯液部と加熱部と加熱液体供給路の一部が設けられるとともに、これらを隠蔽する円筒状の側壁が設けられ、
該側壁の一部に開閉扉が形成されるとともに、側壁が回転可能に装着された
請求項１から請求項５のうちのいずれか一項に記載の加熱液体流下装置。
【考案の詳細な説明】
【技術分野】
【０００１】
この考案は、アーユルヴェーダ治療のうちシロダーラ（前頭部オイル滴下治療法）に用いられるような加熱液体流下装置に関する。
【背景技術】
【０００２】
このような加熱液体流下装置としては、下記特許文献１、２のようなものが知られている。すなわち、人体の頭部を受けるシンク状の施術台と、所望のオイルを貯留する貯留部と、この貯留部内のオイルを加熱する加熱部と、前記貯留部内の加熱オイルを吸い上げて仰向けに寝た人体の額部分に流下させるオイル供給管を有する。オイル供給管は、施術台の人体頭頂部対応側に立設された側面視略逆Ｌ字形をなす氷のうスタンドの如きアームで支持されている。
【０００３】
そして、これらの装置では、施術作業性を考慮して、オイル供給管の先のノズルを自動的に移動可能にするとよいとされている（特許文献１の段落［００１１］、［００１６］、特許文献２の段落［０００７］参照）。
【先行技術文献】
【特許文献】
【０００４】
【特許文献１】特開平１１−２２１２６１号公報
【特許文献２】特表２００１−５２００８４号公報
【考案の概要】
【考案が解決しようとする課題】
【０００５】
しかし、この移動は、前記アームの垂直部分を軸にしてなされる水平方向での扇動であるため、人体の額の湾曲に抗して円弧を描くようになされる。
【０００６】
ところで、オイルの流下は「サードアイ」と呼ばれるチャクラ（額の中央）に対して行われ、加熱されたオイルの流下により不思議な感覚に陥るという。そして、流下位置が生え際やこめかみのほうへ移動するとさらに不思議な気持ちよさがある。
【０００７】
しかしながら、前記のようにアームの垂直部分を軸にした扇動では、額の中央から移動をさせるとすぐに生え際に移動する一方、こめかみ方向からはずれてしまい、人手で移動させる場合と大きな差異が生じる。
【０００８】
そこで、この考案は、人手で行うのに近い流下位置の移動ができるようにすることを主たる目的とする。
【課題を解決するための手段】
【０００９】
そのための手段は、人体の頭部および液体を受ける施術台を備え、該施術台に設けられた排液口からの排液を導入する貯液部と、該貯液部内の液体を加熱する加熱部と、前記貯液部内の加熱液体を前記施術台の上方に供給して流下する加熱液体供給路を有する加熱液体流下装置であって、前記加熱液体供給路の先端側部分が、人体の頭頂部側に対応する部位に立設されたアームで人体の額近傍部位に対応する部位の上方に支持されるとともに、該アームの先端部に、アームの先端部から人体の頭頂部側に対応する方向に向けて延びてアームの先端部を軸にアームの下で扇動する扇動部が設けられ、該扇動部の先端側部位に、前記加熱液体供給路の先端が保持された加熱液体流下装置である。
【００１０】
この装置によれば、加熱液体の流下位置を動かす扇動部の軸が人体の頭頂部と反対側に位置することになるので、人体の額の湾曲に則して円弧を描くような扇動が可能である。
【００１１】
好ましくは、前記扇動部が扇動部の長手方向に移動可能であるとよい。扇動半径を調節できることになるので、人体頭部の大きさの差異に対する対応や流下位置、流下範囲の変更が可能となる。
【考案の効果】
【００１２】
この考案によれば、流下位置が人体の額の湾曲に則して円弧を描くように移動するので、額の中心から両側にかけて自然な状態で流下位置の移動ができる。このため、人手で行うのに近い移動が可能であり、所望の効果が得られる。
【図面の簡単な説明】
【００１３】
【図１】加熱液体流下装置の側面図。
【図２】加熱液体流下装置の平面図。
【図３】加熱液体流下装置の縦断面図。
【図４】駆動機構の駆動部の正面図。
【図５】アーム先端部の平面図。
【図６】扇動部の平面図。
【図７】作用状態を示す平面図。
【図８】他の例に係る駆動機構の断面図。
【図９】他の例に係る加熱液体流下装置の側面図。
【考案を実施するための形態】
【００１４】
この考案を実施するための一形態を、以下図面を用いて説明する。  
図１は、シロダーラに用いられるサロン向けの加熱液体流下装置１１（以下、流下装置という。）の側面図、図２はその平面図、図３はその縦断面図である。
【００１５】
これらの図に示すように流下装置１１は、人体の頭部Ｈおよび液体を受ける施術台２１を備え、該施術台２１に設けられた排液口２２からの排液を導入する貯液部３１と、該貯液部３１内の液体を加熱する加熱部４１と、前記貯液部３１内の加熱液体Ｌを前記施術台２１の上方に供給して流下する加熱液体供給路５１を有する。
【００１６】
具体的には、略立方体形状をなす本体部１２と、この本体部１２の上面の端部に立設された側面視略逆Ｌ字状をなす中空棒状体からなるアーム１３と、このアーム１３の先端部の下方に設けられた扇動部１４を有する。
【００１７】
前記本体部１２は中空状をなし、天板部分が前記施術台２１で構成され、内部に前記貯液部３１と加熱部４１と加熱液体供給路５１の一部が収納されている。
【００１８】
天板部分の前記施術台２１は、四隅の柱材６１によって底板６２の上方に適宜間隔をあけて支持されている。そして、これら柱材６１で囲まれた内側には、前記貯液部３１と加熱部４１と加熱液体供給路５１の一部を隠蔽する円筒状の側壁６３が設けられる。この側壁６３の一部には、開閉扉６３ａが形成され、内部の調整や点検等ができるように構成されている。開閉扉６３ａは、図示例のように一側を枢着した構造のほか、例えばスライドするものなど、その他の形態のものであるもよい。
【００１９】
また側壁６３は、前記底板６２の中心点を中心に回転可能に装着される。この装着は、たとえば図３に示したように、底板６２の上面に側壁６３の下端を遊嵌する回転溝６２ａを設け、この回転溝６２ａ内を側壁６３が円滑に回転するように保持するとよい。
【００２０】
側壁６３が回転可能であるので、本体部１２の設置向きにかかわりなく、内部の調整等が行えて便利である。
【００２１】
また、前記底板６２には、高さ調整と防振のためのアジャスタ６４と移動のためのキャスタ６５が備えられる。
【００２２】
前記施術台２１は、平面視方形をなす厚板状で、上面には、人体の頭部Ｈ及び液体を受ける凹所２３が形成されている。この凹所２３は、平面視たて方向の下方の縁のよこ方向中間部に形成された、人体の頭部Ｈが乗る頭部載置部２３ａと、この頭部載置部２３ａから中央部分にかけて凹むすり鉢状の凹椀部２３ｂを有する。凹椀部２３ｂの底面における最深部には、凹所２３に流れる加熱液体Ｌを排出する前記排液口２２が形成されている。
【００２３】
この排液口２２の下方には、ストレーナ２４を介して排液管２５が接続され、この排液管２５は前記貯液部３１内に導かれる。つまり、前記ストレーナ２４で異物が除去された加熱液体Ｌが貯液部３１に入るように構成される。なお、排液管２５には、可撓性と形態保持性を有する管を使用するのが好ましい。
【００２４】
排液を受ける前記貯液部３１は、有底筒状をなし、側面に取っ手３２ａを有したコップ状をなす金属容器３２で構成され、この金属容器３２内の液体を加熱する前記加熱部４１に載置可能とされている。加熱部４１には、略皿状をなし、前記金属容器３２を載せる部分の下に熱源を有する周知のヒータ装置を使用できる。金属容器３２は、加熱部４１に対して置いたり持ち上げたりするだけで着脱できるので、取っ手３２ａを有することと相俟って、金属容器３２の着脱作業は容易である。
【００２５】
前記加熱部４１は、内部の液体の温度が所望の温度になるように制御装置７１によって制御される。この制御装置７１では、所定温度以上にならないと液体が供給されないようにするため、液体を汲み上げるためのポンプ５２の駆動も制御する。
【００２６】
このポンプ５２は、前記加熱液体供給路５１の前記貯液部３１側の先端に設けられる。
【００２７】
前記加熱液体供給路５１は、屈曲可能な、好ましくは柔軟な管部材５３を用いて構成され、管部材５３のうち本体部１２内の部分５３ａは、上端が前記施術台２１の下面側に接続され、前記ポンプ５２を有する下端が、前記金属容器３２内に出し入れ可能に収容される。
【００２８】
前記アーム１３は、前記加熱液体供給路５１を構成する管部材５３を施術台２１の上方の所定位置に導くためのもので、人体の頭頂部側に対応する部位である施術台２１の平面視たて方向の上方の縁部のよこ方向中間位置に立設されている。このアーム１３の下端部内に、前記管部材５３における本体部１２内の部分５３ａの上端部が収納される。
【００２９】
アーム１３の垂直部１３ａの上端から水平に延びる水平部１３ｂの先端は、施術台２１の平面視たて方向の下方の縁部のよこ方向中間位置に向けて延び、先端位置が人体の顔の上方に対応する位置に達するように形成されている。前記管部材５３における本体部１２から上に出る部分５３ｂはアーム１３の内部に収納され、先端側はアーム１３の先端側の部分において下方に引き出され、前記扇動部１４に保持される。
【００３０】
前記扇動部１４は、前記アーム１３の先端部から人体の頭頂部側に対応する方向に向けて延びるもので、アーム１３の先端部を軸にアーム１３の下において所定範囲内を繰り返して扇動する。
【００３１】
この扇動部１４を扇動するための駆動機構８１が、アーム１３の下方から先端部にかけて形成される。すなわち、前記本体部１２内に設けられた駆動部８２と、先端がアーム１３の先端部において扇動部１４の軸１４ａ部分に結合され前記駆動部８２によって牽引されるワイヤ８３を有する。
【００３２】
前記駆動部８２は、揺動可能な作用杆を備えたもので、モータ８４及び減速機８５と、図４にも示したような回転板８６、連結杆８７、及び前記作用杆としての揺動杆８８からなるリンク機構で構成される。前記揺動杆８８の軸部分８８ａの両側には突出部分８８ｂが形成され、この突出部分８８ｂに前記ワイヤ８３の一端が固定される。ワイヤ８３は、前記揺動杆８８を枢支する支持台８９の孔部８９ａを通って、前記アーム１３の内部に導かれる。
【００３３】
前記モータ８４には、図示しない周知の速度調節器が接続されており、前記揺動杆８８の揺動速度が変更可能とされている。
【００３４】
前記アーム１３の先端部には、扇動部１４を保持すべく上下方向に延びる前記軸１４ａが設けられ、この軸１４ａの上側部分には、図５にも示したように回転板１４ｂが固定されている。そして、この回転板１４ｂの両側部分に前記ワイヤ８３の他端が固定される。
【００３５】
前記軸１４ａの下側部分には、図６にも示したように、前記扇動部１４を構成する板状をなす基部部材９１が回転不可に固定される。この基部部材９１は、前記軸１４ａを挟む両側に長さ方向に沿った貫通孔９１ａを有し、この貫通孔９１ａに、線状体からなる枠部材９２が、基部部材９１との間で相対移動可能に保持される。すなわち、扇動部１４は、扇動部１４の長手方向に移動可能に構成されている。
【００３６】
前記枠部材９２は、線状体の両端部９２ａが平行な直線状をなし、この部分が前記貫通孔９１ａに保持される。また、これら両端部９２ａの間の中間部９２ｂは略円形の平面視Ｃ字型なし、この中間部９２ｂの下方に、シロダーラに用いられているチャラカボウル９３を模った擬似チャラカボウル９３が吊り下げ部９４を介して取り付けられる。擬似チャラカボウル９３の底面の中央、すなわち扇動部１４の先端側部位にはノズル９５が設けられ、このノズル９５に前記加熱液体供給路５１を構成する前記管部材５３の先端が接続されている。
【００３７】
このため、前記駆動部８２によってワイヤ８３が牽引されると、アーム１３の先端部の回転板１４ｂが回転し、軸１４ａを中心に扇動部１４が扇動し、この扇動に従って前記ノズル９５の位置が移動する。この結果、加熱液体供給路５１を通って流下する加熱液体Ｌは、図７に示したように、人体の顔の下方側部分に対応する部位を中心とする円弧状の軌道を描いて往復移動する。前記速度調節器により扇動速度が変更可能である。扇動部１４の枠部材９２を長手方向に移動させれば、人体の頭部Ｈの大きさの差異に対応することができるとともに、流下位置や流下範囲の変更も可能となる。
【００３８】
なお、前記モータ８４やポンプ５２の駆動制御部にはタイマが組み込まれ、前記モータ８４や速度調節器、制御装置７１の操作は、図３に示したようなコントローラ７２により便利に制御できるように構成されている。すなわち、コントローラ７２の制御により、加熱温度、加熱部４１のＯＮ・ＯＦＦ、ポンプ５２のＯＮ・ＯＦＦ、扇動のＯＮ・ＯＦＦ、タイマ設定等ができる。
【００３９】
以上のように構成された流下装置１１では、シロダーラに用いられる胡麻油等のオイルを金属容器３２に入れた後、加熱部４１に載置して制御装置７１により所望温度に加熱する。そしてオイルが所望温度になった後、制御装置７１を操作してポンプ５２を駆動すると、加熱されたオイルが汲み上げられて、加熱液体供給路５１を構成する管部材５３内を通り、図１に仮想線で示したように、人体の頭部Ｈの額の中心位置などの所望の位置に加熱オイルを所望の流量で流下させることができる。
【００４０】
流下位置を移動させる場合には、駆動機構８１のモータ８４を駆動すれば、前記のように扇動部１４が扇動するため、自動的に流下位置が移動する。この移動は、扇動部１４の軸１４ａが人体の頭頂部と反対側に位置することになるため、前記のように人体の顔の下方側部分に対応する部位を中心とする円弧状の軌道を描いて往復移動する（図７参照）。つまり、人体の額の湾曲に則して円弧を描くような扇動となり、扇動速度を変更できることと相俟って、額の中心から両側にかけて自然な状態で流下位置の移動ができ、人手で行うのと同様に移動が行え、所望の効果が得られる。
【００４１】
しかも、扇動部１４は扇動部１４の長手方向に移動可能であるので、必要に応じて扇動半径を調節できる。つまり、人体の頭部Ｈの大きさの差異に対するほか、流下位置、流下範囲の変更が可能となり、より効果的な施術ができる。
【００４２】
流下された加熱オイルは、人体の頭部Ｈに垂れた後、施術台２１の凹所２３に流れ、排液口２２を通して貯液部３１に戻り、汲み上げられて再度使用される。
【００４３】
貯液部３１などは本体部１２内に収納されているが、回転可能な側壁６３を有するので、貯液部３１の出し入れや駆動操作などの作業は極めて容易に行える。
【００４４】
また、加熱液体供給路５１の先端部に擬似チャラカボウル９３が設けられていることと、機械的な部材が本体部１２内に収まっていることによって、外観上、治療に適した雰囲気を醸し出すこともでき、効果的な施術に貢献できる。
【００４５】
さらに、扇動部１４の駆動機構８１がワイヤを用いた構造であるので、施術を受ける者の上方に位置するアームの先端部の大きさをコンパクトにすることができてよい。
【００４６】
以下、他の例について説明する。この説明において、先の構成と同一または同等の部位については同一の符号を付してその詳しい説明を省略する。
【００４７】
図８は、駆動機構８１の他の例を示す断面図であり、アーム１３の先端部のみに備えられている。すなわち、この駆動装置８１は、ステッピングモータからなる正逆回転するモータ８４と減速機８５で構成する。前記図４に示したように、一方向回転するモータ８４及び減速機８５に回転板８６や連結杆８７等で構成したリンク機構を接続してもよい。
【００４８】
また、図８では、扇動部１４を、前記枠部材９２に代えて、短冊状の板からなる支持板９６で構成した例を示している。支持板９６は、基端部９６ａより先端側を斜めに屈曲し、更にその先の先端部９６ｂを基端部９６ａと平行になるように屈曲した側面視形状を有し、基端部９６ａに、軸１４ａを通し長手方向のスライドを可能とする長孔９６ｃを備える。そして前記先端部９６ｂにノズル９５が設けられる。前記のような擬似チャラカボウル９３を有しないぶん軽量化を図れる利点がある。
【００４９】
図９は、流下装置１１を示す側面図であり、この流下装置１１は、主に出張施術に好適に用いられる流下装置１１である。この流下装置１１の説明において、前記と同一または同等の部位については同一の符号を付してその詳しい説明を省略する。
【００５０】
この流下装置１１は、施術台２１と、これを支える基台１５と、基１５から立設されたスタンド１６と、このスタンド１６の上端から立設されたアーム１３を有する。これらの各部は分離組み立て可能である。前記基台１５には、施術台２１の排液口２２から流れる液体を流す排液路１５ａと、この排液路１５ａからの液体を受け入れ可能な貯液部３１を備える。この貯液部３１は、前記のように着脱可能であるものを図示したが、基台１５と一体であるもよい。
【００５１】
前記基台１５は、施術台２１の下における平面視たて方向の下方に人体を支えるマット１７を敷設できるような高さに施術台２１を支持する。そして、この基台１５における施術台２１の平面視たて方向の上方から突出する位置に、前記スタンド１６が形成されている。スタンド１６は、正面視門型に形成され、上端に横架材１６ａを有する。この横架材１６ａの中間部に前記アーム１３が立設され、アーム１３の先端部には前記図８に示したのと同様の駆動機構８１を介して扇動部１４が備えられている。
【００５２】
このような流下装置１１でも前記と同様の作用効果が期待できる。
【００５３】
この発明の構成と前記一形態の構成との対応において、  
この発明の液体はオイルに対応し、  
以下同様に、  
作用杆は、揺動杆に対応し、  
容器は金属容器３２に対応するも、  
この発明は、前記の構成のみに限定されるものではなく、その他の形態を採用することもできる。
【００５４】
たとえば、アームが回動可能であるもよい。
【００５５】
また、扇動部の長手方向の移動も自動で行えるようにしてもよい。
【符号の説明】
【００５６】
１１…加熱液体流下装置
１３…アーム
１４…扇動部
１４ａ…軸
２１…施術台
２２…排液口
３１…貯液部
３２…金属容器
４１…加熱部
５１…加熱液体供給路
５２…ポンプ
６３…側壁
６３ａ…開閉扉
８１…駆動機構
８２…駆動部
８３…ワイヤ
８８…揺動杆
Ｈ…頭部
Ｌ…加熱液体
【図１】
0003158311.tif 000003
【図２】
0003158311.tif 000004
【図３】
0003158311.tif 000005
【図４】
0003158311.tif 000006
【図５】
0003158311.tif 000007
【図６】
0003158311.tif 000008
【図７】
0003158311.tif 000009
【図８】
0003158311.tif 000010
【図９】
0003158311.tif 000011